(57)【特許請求の範囲】
【請求項１】
イヤーセット装着部が形成されたボディーと、
前記ボディー内の通信モジュールとの間で無線通信を行うイヤーセット本体部、及び、前記イヤーセット本体部から突出して前記イヤーセット本体部から送信される音声を出力するスピーカ部を備え、前記イヤーセット装着部に設けられた係止溝に一端が係止された状態で回転して前記ボディーに装着されるか又は前記ボディーから分離されるイヤーセットと、を含み、
前記イヤーセット装着部は、
前記イヤーセット本体部の少なくとも一部を収容するように前記ボディーの表面から凹んで形成される第１装着部と、
前記スピーカ部を収容するように前記第１装着部から凹んで形成される第２装着部と、
を備え、
前記ボディーは、
前記イヤーセットが前記イヤーセット装着部から分離される方向に移動可能に前記第２装着部に配置されるカバーと、
前記カバーの背面に備えられて前記カバーを付勢するカバースプリングと、を含み、
前記カバーは、前記イヤーセットと前記イヤーセット装着部の結合が解除されると、前記イヤーセットが前記一端を前記係止溝に係止された状態で回転して前記ボディーから分離されるように前記スピーカ部を付勢し、その後、前記第２装着部を覆うように構成されていることを特徴とする携帯端末機。
【請求項２】
前記スピーカ部は、前記イヤーセット本体部からの突出量が調整可能に形成されたことを特徴とする請求項１記載の携帯端末機。
【請求項３】
前記イヤーセット装着部は、前記ボディーの背面側に形成されることを特徴とする請求項１又は請求項２記載の携帯端末機。
【請求項４】
前記スピーカ部は、
前記イヤーセット本体部の表面から突設し、内部にスピーカが配設されたスピーカボディーと、
前記スピーカボディーの外周に装着された保持部材と、を含み、
前記スピーカボディー及び前記保持部材の少なくとも一方を前記イヤーセット本体部の表面と直交する方向に移動させることにより、前記イヤーセット本体部からの突出量が調整されることを特徴とする請求項１〜３のいずれか１つに記載の携帯端末機。
【請求項５】
前記イヤーセット装着部に装着された前記イヤーセットをロックし、又は、該ロックを解除して前記イヤーセットを前記イヤーセット装着部から分離できるようにするロックユニットをさらに含むことを特徴とする請求項１〜４のいずれか１つに記載の携帯端末機。
【請求項６】
前記ロックユニットは、
前記イヤーセットに設けられた係止突起と、
前記イヤーセット装着部に設けられ、前記イヤーセットの進入時に前記係止突起に接触することで移動し、その後、元の位置に復帰したときに前記係止突起に係止される係止フックと、
を含むことを特徴とする請求項５記載の携帯端末機
【請求項７】
前記係止フックは、
前記係止突起に係止されて固定される固定部と、
前記固定部から延びて、その一部が前記ボディーに形成されたガイド溝内を移動する移動部と、
含むことを特徴とする請求項６記載の携帯端末機。
【請求項８】
前記ガイド溝内に、前記係止突起に係止される方向に前記移動部を付勢するスプリングが設けられていることを特徴とする請求項７記載の携帯端末機。
【請求項９】
前記係止フックは、傾斜面を有し、
前記イヤーセットに前記イヤーセット装着部から分離する方向に力が加えられると、前記傾斜面が前記係止突起に接触することで移動して前記係止突起による係止が解除されることを特徴とする請求項６〜８のいずれか１つに記載の携帯端末機。
【請求項１０】
前記イヤーセットが前記イヤーセット装着部に装着された状態において、
前記イヤーセットと前記イヤーセット装着部との間に、前記イヤーセットを前記イヤーセット装着部から分離させるように力を加えるためのリリース溝が形成されることを特徴とする請求項１〜９のいずれか１つに記載の携帯端末機。
【請求項１１】
前記イヤーセット装着部は、前記ボディーの背面上部に形成され、
前記リリース溝は、前記イヤーセット装着部の上部に形成されることを特徴とする請求項１０記載の携帯端末機。
【請求項１２】
前記ロックユニットは、
前記イヤーセット装着部に設けられ、スプリングにより付勢される球状ロック部材と、
前記イヤーセットに形成され、前記球状ロック部材の大きさに対応する半円状のロック溝と、を含み、
前記球状ロック部材は、前記イヤーセットの進入時に前記イヤーセットに接触することで前記スプリングの付勢力に抗して移動し、その後に復帰して前記ロック溝に挿入されることで前記イヤーセットをロックすることを特徴とする請求項５記載の携帯端末機。
【発明の詳細な説明】
【技術分野】
【０００１】
本発明は、携帯端末機に関し、特に、イヤーセットが着脱可能に装着される携帯端末機に関する。
【背景技術】
【０００２】
携帯端末機は、携帯が可能であるとともに、音声及び映像通話機能、情報を入出力する機能、及びデータ保存機能などの少なくとも１つの機能を備えた携帯用機器である。
また、携帯端末機は、機能が多様化するにつれて、例えば、写真や動画像の撮影、音楽や動画像ファイルの再生、ゲーム、放送受信などの複雑な機能を備えるようになり、総合的なマルチメディア機器（Multimedia player）の形態で実現されている。
【０００３】
このようなマルチメディア機器には、複雑な機能を実現するために、ハードウェア又はソフトウェアの面で新しい多様な試みがなされている。一例として、使用者が容易かつ便利に機能を検索又は選択するためのユーザインタフェース環境が提供されている。
【０００４】
また、携帯端末機は、使用者の個性を表現するための個人携帯品とみなされて、多様なデザインが要求されている。
さらに、最近では、携帯端末機に近距離無線通信モジュールを装着することにより、使用者が携帯端末機を手に持たなくても、イヤーセットを着用して便利に通話できるようになっている。
【発明の開示】
【発明が解決しようとする課題】
【０００５】
従来、携帯端末機においてイヤーセットを利用する場合には、使用者は携帯端末機とは別にイヤーセットを携帯しなければならず、利便性の面で改良の余地がある。
そこで、本発明は、携帯端末機と無線通信が可能なイヤーセットを該携帯端末機のボディーに着脱可能に装着できるようにして使用者に便宜を提供することを目的とする。
また、イヤーセットの装着空間やイヤーセット装着時の携帯端末機の大型化を抑制し、スリムな携帯端末機を提供することを目的とする。
【課題を解決するための手段】
【０００６】
上記目的を達成するために、本発明による携帯端末機は、イヤーセット装着部が形成されたボディーと、前記ボディー内の通信モジュールとの間で無線通信を行うイヤーセット本体部、及び、前記イヤーセット本体部から突出して前記イヤーセット本体部から送信される音声を出力するスピーカ部を備え、前記イヤーセット装着部に設けられた係止溝に一端が係止された状態で回転して前記ボディーに装着されるか又は前記ボディーから分離されるイヤーセットと、を含み、前記イヤーセット装着部は、前記イヤーセット本体部の少なくとも一部を収容するように前記ボディーの表面から凹んで形成される第１装着部と、前記スピーカ部を収容するように前記第１装着部から凹んで形成される第２装着部と、を備え、前記ボディーは、前記イヤーセットが前記イヤーセット装着部から分離される方向に移動可能に前記第２装着部に配置されるカバーと、前記カバーの背面に備えられて前記カバーを付勢するカバースプリングと、を含み、前記カバーは、前記イヤーセットと前記イヤーセット装着部の結合が解除されると、前記イヤーセットが前記一端を前記係止溝に係止された状態で回転して前記ボディーから分離されるように前記スピーカ部を付勢し、その後、前記第２装着部を覆うように構成されていることを特徴とする。
【０００７】
ここで、前記イヤーセット装着部は、前記ボディーの背面側に形成されることが好ましい。
【０００９】
また、前記スピーカ部は、前記イヤーセット本体部の表面から突設し、内部にスピーカが配設されたスピーカボディーと、該スピーカボディーの外周に装着された保持部材と、を含み、前記スピーカボディー及び前記保持部材の少なくとも一方を前記イヤーセット本体部の表面と直交する方向に移動させることにより、前記イヤーセット本体部からの突出量が調整されるようにしてもよい。
【００１１】
また、前記イヤーセット装着部に装着されたイヤーセットをロックし、又は、該ロックを解除して前記イヤーセットを前記イヤーセット装着部から分離できるようにするロックユニットをさらに含むようにしてもよい。
【００１３】
また、前記ロックユニットは、前記イヤーセットに設けられた係止突起と、前記イヤーセット装着部に設けられ、前記イヤーセットの進入時に前記係止突起に接触しつつ移動して、その後、元の位置に復帰したときに前記係止突起に係止される係止フックと、を含むようにしてもよい。
【００１４】
また、前記ロックユニットは、前記イヤーセット装着部に設けられ、スプリングによって付勢される球状ロック部材と、前記イヤーセットに形成され、前記球状ロック部材の大きさに対応する半円状のロック溝と、を含み、前記球状ロック部材は、前記イヤーセットの進入時に前記イヤーセットに接触することで前記スプリングの付勢力に抗して移動し、その後に復帰して前記ロック溝に挿入されることで前記イヤーセットをロックするようにしてもよい。
【発明の効果】
【００１５】
本発明によると、携帯端末機と無線通信が可能なイヤーセットを該携帯端末機のボディーに着脱可能に装着できるので、イヤーセットの携帯による使用者の不便さを解消することができる。
【００１６】
ここで、イヤーセットにおいて、イヤーセット本体部からのスピーカ部の突出量を調整可能に構成すれば（例えば、請求項２に係る発明）、イヤーセット装着部への装着時に前記突出量を小さくすることが可能となり、ボディーのイヤーセット装着空間及びイヤーセット装着時の携帯端末機の大型化を抑制してスリムな携帯端末機とすることができる。
【００１７】
また、イヤーセットをイヤーセット装着部から分離したときにイヤーセット装着部の少なくとも一部を多くカバーを備えるようにすれば（例えば、請求項７に係る発明）、イヤーセット装着部による操作時の違和感や商品性（美感）の悪化を抑制できる。
【００１８】
また、イヤーセットは、イヤーセット装着部に設けられた係止溝に、その一端が係止された状態で回転されて該イヤーセット装着部に装着され、該イヤーセット装着部から分離されるようにすれば（例えば、請求項１０に係る発明）、イヤーセットの簡単で便利な着脱パターンを提供できると共に、イヤーセットの安定した装着構造を提供できる。
【発明を実施するための最良の形態】
【００１９】
以下、本発明の好ましい実施形態による携帯端末機について添付図面を参照して詳細に説明する。
図１は、本発明の一実施形態による携帯端末機を示す前面斜視図である。
本実施形態による携帯端末機は、いわゆるスライド式のものであって、第１ボディー１０と、該第１ボディー１０に対して少なくとも一方向に沿って摺動可能（スライド可能）に構成された第２ボディー２０とを含む。
【００２０】
なお、以下の説明において、第１ボディー１０と第２ボディー２０とが重なるように配置されて第２ボディー２０の前面が露出しない状態を携帯端末機の「閉状態」といい、図１に示すように、第１ボディー１０に対して第２ボディー２０が摺動して（スライド移動して）第２ボディー２０の前面の少なくとも一部分が露出した状態を携帯端末機の「開状態」という。
【００２１】
携帯端末機は、閉状態であるときは主に待ち受けモードであるが、使用者の操作により待ち受けモードが解除されることもある。また、携帯端末機は、開状態であるときは主に通話モードであるが、使用者の操作又は所定時間の経過により待ち受けモードに移行することもある。
【００２２】
第１ボディー１０のケース（ケーシング、ハウジング、カバーなど）は、フロントケース１１とリアケース１２とを含む。フロントケース１１とリアケース１２とによって形成される空間には、各種電子部品等が内蔵されている。
【００２３】
なお、フロントケース１１とリアケース１２との間に少なくとも１つの中間ケースをさらに配置することができる。また、前記ケースは、合成樹脂を射出して形成することもでき、ステンレススチール（ＳＴＳ）又はチタン（Ｔｉ）などの金属材質で形成することもできる。
【００２４】
第１ボディー１０、詳しくはフロントケース１１には、ディスプレイ部１３、音響出力部１４、第１映像入力部１５及び第１操作部１６が配置されている。
【００２５】
ディスプレイ部１３は、情報を視覚的に表現するＬＣＤモジュール、ＯＬＥＤ（Organic Light Emitting Diodes）モジュールなどを含む。また、ディスプレイ部１３は、タッチスクリーンをさらに含み、使用者のタッチにより情報を入力できるように構成することもできる。
【００２６】
音響出力部１４は、レシーバ又はスピーカにより実現される。
第１映像入力部１５は、静止画像又は動画像を撮影するためのカメラモジュールなどにより実現される。
第１操作部１６には、携帯端末機の動作を制御するための命令等が入力される。
【００２７】
第２ボディー２０のケースも、第１ボディー１０のケースと同様に、フロントケース２１とリアケース２２とを含む。第２ボディー２０、詳しくはフロントケース２１の前面には、第２操作部２３が配置される。
【００２８】
フロントケース２１及びリアケース２２の少なくとも一方には、第３操作部２４、音響入力部２５及びインタフェース２６などが配置される。
【００２９】
第１操作部１６、第２操作部２３及び第３操作部２４をまとめて「操作部」といい、かかる操作部は、使用者が触覚的な感覚で操作する方式（tactile manner）であればいかなる方式も採用することができる。
【００３０】
例えば、操作部は、使用者のプッシュ操作又はタッチ操作により命令又は情報が入力されるドームスイッチ、タッチスクリーン、タッチパッドなどによって実現され、キーを回転させるホイール若しくはジョグ方式、又は、ジョイスティックなどの操作方式によって実現される。
【００３１】
操作部を機能的な面から説明すると、本実施形態による携帯端末機においては、第１操作部１６は、開始、終了、スクロールなどの命令を入力するために用いられ、第２操作部２３は、数字、文字、シンボルなどを入力するために用いられ、第３操作部２４は、第１映像入力部１５のアクティブ化などの特殊機能を行うホットキーの役割を果たす。
【００３２】
音響入力部２５は、使用者の音声、その他の音などを入力するため、例えば、マイクロホンなどにより実現される。
【００３３】
インタフェース２６は、携帯端末機が外部機器との間でデータなどを交換するための通路となる。例えば、インタフェース２６は、有線又は無線によるイヤホンのための接続端子、近距離通信のためのポート（例えば、赤外線ポート（IrDA port）、ブルートゥースポート（Bluetooth port）、無線ＬＡＮポート（wireless LAN port）など）及び携帯端末機に電源を供給するための電源供給端子のうちの少なくとも１つである。
【００３４】
また、インタフェース２６は、ＳＩＭ（subscriber identification module）、ＵＩＭ（user identity module）又は情報保存のためのメモリーカードなどの外部カードを収容するカードソケットであってもよい。
【００３５】
リアケース２２には、携帯端末機に電源を供給する電源供給部２７が装着される。この電源供給部２７は、例えば、充電可能なバッテリであり、リアケース２２に着脱可能にリ装着される。
【００３６】
図２は、上記携帯端末機の背面斜視図である。
図２を参照すると、第２ボディー２０のリアケース２２の背面には第２映像入力部２８が配置されている。この第２映像入力部２８は、第１映像入力部１５（図１を参照）とは撮影方向が実質的に反対となり、第１映像入力部１５とは画素数等の異なるカメラとしてもよい。
【００３７】
例えば、第１映像入力部１５は、テレビ電話などの場合に使用者の顔を撮影して相手に送信する際に負担とならないように低画素のカメラとし、第２映像入力部２８は、一般的な被写体を撮影し送信しないことも多いので、高画素のカメラとすることが好ましい。
【００３８】
また、第２映像入力部２８に隣接してフラッシュ２９とミラー部３０とがさらに配置されている。フラッシュ２９は、第２映像入力部２８で被写体を撮影する場合に該被写体に光を照らす。ミラー部３０は、使用者が第２映像入力部２８を利用して使用者を撮影（セルフ撮影）する場合に使用者の顔などを映す。
【００３９】
リアケース２２には、第２音響出力部３１がさらに配置されてもよい。この場合には、第２音響出力部３１を第１音響出力部１４（図１を参照）とともに使用してステレオ機能を実現することができ、また、スピーカーホンモードにおいて通話のために使用することもできる。
【００４０】
また、リアケース２２の一側面（図では、上面）には、通話などのため及び／又は放送信号を受信するためのアンテナ３２が配置されている。このアンテナ３２は、第２ボディー２０から引き出し可能に設けられている。
【００４１】
第１ボディー１０のリアケース１２には、第１ボディー１０と第２ボディー２０とを摺動可能（スライド可能）に結合するスライドモジュール３３の一部分が配置される。スライドモジュール３３の他部分は、第２ボディー２０のフロントケース２１に配置されているが、図２に示すように、外部に露出していない。
【００４２】
なお、本実施形態においては、第２映像入力部２８などが第２ボディー２０に配置されているが、これに限定されるものではない。例えば、第２映像入力部２８などのリアケース２２に配置されると説明した構成要素（例えば、参照番号２８〜３２）の少なくとも１つを、第１ボディー１０のリアケース１２に配置することもできる。この場合、リアケース１２に配置される場合に比べて、携帯端末機が閉状態であるときに、第２ボディー２０によって保護されるという利点がある。
また、第２映像入力部２８を備えなくてもよく、例えば第１映像入力部１５を回転可能に形成して携帯端末機の背面側（第２映像入力部２８の撮影方向）まで撮影できるように構成することもできる。
【００４３】
さらに、第２ボディー２０の背面にはイヤーセット装着部２００が設けられており、このイヤーセット装着部２００には、イヤーセット１００が着脱可能に装着される。ここでは、イヤーセット装着部２００が第２ボディー２０の背面の上部に配置されているが、イヤーセット装着部２００は、携帯端末機のデザインによって、第１ボディー１０又は第２ボディー２０の多様な位置に配置できる。
【００４４】
図３は、イヤーセットがイヤーセット装着部に装着された状態を説明するための図（図２のＡ−Ａ断面図に相当する）であり、図４は、イヤーセットがイヤーセット装着部から分離された状態を説明するための図（図２のＡ−Ａ断面図に相当する）である。
【００４５】
図３、４に示すように、イヤーセット１００は、第２ボディー２０内の通信モジュールとの間で無線通信を行うイヤーセット本体部１１０と、該イヤーセット本体部１１０の表面から突出して設けられ、イヤーセット本体部１１０から送信される音声を出力するスピーカ部１２０とを含む。
【００４６】
イヤーセット本体部１１０は、ハウジング１１１と、該ハウジング１１１の内部に装着される近距離無線通信モジュール（図示省略）とを含む。
【００４７】
ハウジング１１１の内部に装着された近距離無線通信モジュールは、第２ボディー２０の内部に装着された近距離無線通信モジュール（図示省略）との間で信号を交換する。例えば、ハウジング１１１の内部に装着された近距離無線通信モジュールは、第２ボディー２００の内部に装着された近距離無線通信モジュールから送信された信号（音声信号）を受信し、これをスピーカ部１２０に送信する。
また、第２ボディー２０の内部に装着された近距離無線通信モジュールは、第２ボディー２０の外部から受信した信号をイヤーセット１００の内部に装着された近距離無線通信モジュールに送信することができ、イヤーセット１００の内部に装着された近距離通信モジュールから信号を受信することもできる。
【００４８】
近距離無線通信モジュールとしては、例えばブルートゥースを使用することができる。ここで、ブルートゥースは、無線通信機器間において低電力で近距離の無線通信をするための標準、例えば、モバイルコンピュータ、携帯電話、ヘッドセット、携帯情報端末（ＰＤＡ）、ＰＣなどの機器間の情報伝送を目的とする通信標準である。
【００４９】
第２ボディー２０の内部に装着された近距離無線通信モジュールは、第１ボディー１０及び第２ボディー２０の内部に装着される電子部品の配置によっては、第１ボディー１０の内部に装着することもできる。
【００５０】
スピーカ部１２０は、イヤーセット本体部１１０に接続されて、イヤーセット本体部１１０のハウジング１１１内部に装着された近距離無線通信モジュールから送信される音声を出力する。スピーカ部１２０は、使用者の耳に挿入されるように形成され、前記近距離無線通信モジュールから送信された音声を使用者に伝達する。
【００５１】
スピーカ部１２０は、イヤーセット装着部２００に挿入されるとき、イヤーセット１００全体の厚さを薄くすることができるように位置調節（長さ調節）が可能に形成される。すなわち、スピーカ部１２０のイヤーセット本体部１１０の表面からの突出量、すなわち、イヤーセット本体部１１０からスピーカ部１２０の先端部までの長さを可変にでき、例えば、イヤーセット使用時（スピーカ部１２０を耳に挿入するとき）と、携帯端末機への装着時とでスピーカ部１２０のイヤーセット本体部１１０の表面からの突出量を異ならせることができる。
【００５２】
より具体的に説明すると、スピーカ部１２０は、イヤーセット本体部１１０の一側面に突設されるスピーカボディー１２１と、該スピーカボディー１２１の外側に装着される保持部材１２２とを含む。
【００５３】
スピーカボディー１２１は、イヤーセット本体部１１０の表面から直角に延びる円筒状に形成されており、該スピーカボディー１２１の内部にはスピーカが配設される。このスピーカは、イヤーセット本体部１１０の内部に装着された近距離無線通信モジュールから送信された信号（音声）を出力する。
【００５４】
保持部材１２２は、ドーナツ状に形成されてスピーカボディー１２１の外周に装着される。この保持部材１２２は、イヤーセット１００の使用時、すなわち、スピーカ部１２０が使用者の耳に挿入されたときに、イヤーセット１００が保持されるように、すなわち、イヤーセット１００の使用時に耳から容易に脱落しないように（イヤーセット１００が保持されるように）する機能を有している。
【００５５】
スピーカボディー部１２１は、図３に示すように、例えば、イヤーセット本体部１１０に固定されたネジ１６０を介してイヤーセット本体部１１０に取り付けられており、スピーカボディー部１２１（スピーカ部１２０）を回転させることによってスピーカボディー部１２１をイヤーセット本体部１１０の表面と直交する方向に移動させて、イヤーセット本体部１１０からの突出量を調整できるようになっている。より具体的には、イヤーセット使用時には、スピーカ部１２０のイヤーセット装着部２００からの突出量を大きくし、携帯端末機への装着時にはスピーカ部１２０のイヤーセット装着部２００からの突出量を小さくすることができる。なお、ネジ１６０をイヤーセット本体部１１０とスピーカ部１２０との間の信号線（の一部）として機能させるようにしてもよい。
【００５６】
但し、これに限るものではなく、スピーカボディー部１２１を固定とし、保持部材１２２を該スピーカボディー部１２１の軸方向に移動可能に装着し、該保持部材１２２をスピーカボディー部１２１の軸方向に移動（すなわち、イヤーセット本体部１１０の表面に直交する方向に移動）させることによってスピーカ部１２０のイヤーセット本体部１１０からの突出量を可変とするようにしてもよい。
この場合、保持部材１２２をスピーカボディー部１２１の軸方向にスライド移動させるように構成してもよいし、スピーカボディー部１２１に複数の取付部を設けておき、第１取付部に取り付けられていた保持部材１２２をスピーカボディー部１２１から外して、第２取付部に取り付けるように構成してもよい。
さらに、スピーカボディー部１２１及び保持部材１２２がともに移動可能に構成されてもよい。
【００５７】
一方、イヤーセット１００が装着されるイヤーセット装着部２００は、バッテリ装着部２７（図２を参照）の上方に形成され、イヤーセット１００のイヤーセット本体部１１０が装着される第１装着部２１０と、スピーカ部１２０が装着される第２装着部２２０とを含む。
【００５８】
第１装着部２１０は、イヤーセット本体部１１０の一部が挿入されるように第２ボディー２０の表面から凹んだ形状に形成される。第２装着部２２０は、第１装着部２１０にスピーカ部１２０の形状に対応する凹部の形状に形成される。
【００５９】
第２装着部２２０には、イヤーセット１００をイヤーセット装着部２００から分離したときに第２装着部２２０を覆うカバー３１０が設けられている。
【００６０】
カバー３１０は、イヤーセット１００がイヤーセット装着部２００から分離される方向に移動可能に第２装着部２２０に配置されており、カバー３１０と第２装着部２２０との間には、イヤーセット１００の分離方向にカバー３１０を付勢するカバースプリング３１１が設置される。
【００６１】
カバー３１０は、イヤーセット１００がイヤーセット装着部２００に装着されるときにイヤーセット１００に接触し、図３に示すように、カバースプリング３１１が縮んでスピーカ部１２０が第２装着部２２０に装着されるように移動する。
一方、イヤーセット１００がイヤーセット装着部２００から分離されるときは、カバースプリング３１１の付勢力によりイヤーセット１００が分離される方向に移動して第２装着部２２０を覆う。これにより、イヤーセット１００が第２ボディー２０から分離されても、第２装着部２２０がカバー３１０により覆われて第２装着部２２０が隠れるため、美観がよくなる。
ここでは、カバー３１０が第２装着部２２０のみを覆うようにしているが、第１装着部２１０を覆うように構成してもよいことはもちろんである。
【００６２】
第１装着部２１０とイヤーセット本体部１１０とには、イヤーセット装着部２００に装着されたイヤーセット１００をロックし、また、そのロックを解除するロックユニット４００が設けられている。
以下、ロックユニット４００の構成及び作用について詳細に説明する。
【００６３】
図５〜図７は、ロックユニット４００の構造及び作用を説明するための携帯端末機の断面図である。なお、図５〜図７は、イヤーセット１００がイヤーセット装着部２００に装着される過程を順に示し、イヤーセット１００がイヤーセット装着部２００から分離される過程はその逆となる。
【００６４】
イヤーセット１００は、イヤーセット装着部２００に一端が係止された状態で回転されてイヤーセット装着部２００に装着され、また、イヤーセット装着部２００から分離される。そのため、第１装着部２１０の下端には、イヤーセット１００が係止されるためのイヤーセット係止溝２３０が形成され、イヤーセット本体部１１０の下端には、イヤーセット係止溝２３０に係止される係止部１３０が形成される。
また、イヤーセット本体部１１０の上部には、イヤーセット１００がイヤーセット装着部２００にロックされるためのロック溝（穴）１４０が形成される。
【００６５】
ロックユニット４００は、イヤーセット装着部２００に装着されたイヤーセット１００をロックし、また、そのロックを解除するためのものであり、ロック溝（穴）１４０の内壁に形成される係止突起４１０と、イヤーセット装着部２００に設けられた係止フック４２０とを含む。
【００６６】
係止突起４１０は、イヤーセット本体部１１０に形成されたロック溝（穴）１４０の内壁に突設され、イヤーセット装着部２００にイヤーセット１００を装着するときに、ロック溝（穴）１４０の内部に係止フック４２０が挿入されて係止突起４１０に係止される。
係止フック４２０は、イヤーセット１００がイヤーセット装着部２００に進入するときに係止突起４１０に接触して移動し、その後に復帰して係止突起４１０に係止される。
【００６７】
第２ボディー２０の内部には、係止フック４２０の移動をガイドするためのガイド溝４３０が形成されている。係止フック４２０の一部は、ガイド溝４３０に挿入されて該ガイド溝４３０内を移動できる。より詳細には、係止フック４２０は、係止突起４１０に係止されて固定される固定部４２１と、固定部４２１の一側から延びてその一部がガイド溝４３０を移動する移動部４２２とを含む。
【００６８】
固定部４２１はフック状に形成され、イヤーセット１００がイヤーセット装着部２００に装着され又はイヤーセット装着部２００から分離されるときに、ロック溝１４０の係止突起４１０に接触して係止フック４２０を移動させるための第１傾斜面４２３及び第２傾斜面４２４（図６を参照）を有する。
【００６９】
移動部４２２は、固定部４２１の一側から延設され、イヤーセット１００が装着され又は分離されるときに、係止突起４１０により第１傾斜面４２３又は第２傾斜面４２４を介して固定部４２１に力が加えられると、その一部がガイド溝４３０内を移動する。
【００７０】
ガイド溝４３０内には、係止フック４２０が係止突起４１０に係止される方向に係止フック４２０を付勢するスプリング４４０が装着される。これにより、係止突起４１０が加える力により係止フック４２０が移動しても、その力が解除されると、スプリング４４０の付勢力により係止フック４２０が元の位置に復帰されることになる。もちろん、係止フック４２０を弾性材料で形成し、スプリング４４０の付勢力なしで元の位置に復帰（復元）するように構成してもよい。
【００７１】
ここで、ロックユニット４００がイヤーセット１００をイヤーセット装着部２００にロックする動作過程について説明すると、図５に示すように、イヤーセット１００の下端に形成された係止部１３０が第１装着部２１０の係止溝２３０に係止され、該係止部を中心としてイヤーセット１００が回転されてイヤーセット装着部２００に進入する。
【００７２】
次いで、図６に示すように、イヤーセット１００がイヤーセット装着部２００に接近すると、ロック溝１４０の係止突起４１０が係止フック４２０の固定部４２１に接触する。使用者がイヤーセット１００の進入方向にさらに力を加えると、係止突起４１０が係止フック４２０に力を加える。ここで、係止突起４１０の進入方向を第１方向（１）といい、第１方向（１）に対する実質的な垂直方向を第２方向（２）という。
【００７３】
係止フック４２０の固定部４２１には第１傾斜面４２３が形成されており、係止突起４１０が係止フック４２０に力を加えると、係止フック４２０は第１傾斜面４２３により第２方向（２）に移動する。
【００７４】
固定部４２１には、第１傾斜面４２３から延びて第１傾斜面４２３と反対の傾斜を有する第２傾斜面４２４が形成される。
図７に示すように、係止突起４１０が第１傾斜面４２３を経て第２傾斜面４２４に到達すると、係止フック４２０は第２方向（２）と反対方向に移動する。この場合、スプリング４４０は、第２方向（２）と反対方向に係止フック４２０を付勢する。
【００７５】
係止フック４２０が第２方向（２）に移動してから復帰して係止突起４１０に係止されると、図３の状態のように、イヤーセット１００がイヤーセット装着部２００に装着されて固定される。この場合、イヤーセット１００に所定力以上の力が加えられないと、スプリング４４０が係止フック４２０に加える付勢力によってイヤーセット１００はイヤーセット装着部２００から分離されなくなる。
【００７６】
次に、イヤーセット１００がイヤーセット装着部２００から分離される過程について説明する。
【００７７】
使用者がイヤーセット１００を分離する方向にイヤーセット１００に力を加えると、係止突起４１０が係止フック４２０に力を加える。ここで、イヤーセット１００がイヤーセット装着部２００に装着されている状態において、イヤーセット１００とイヤーセット装着部２００との間には、イヤーセット１００を分離する方向に力を加えるためのリリース溝１５０が形成されるようになっている。このリリース溝１５０は、図２に示すようにイヤーセット１００側に形成されてもよいが、イヤーセット装着部２００側に形成されてもよいし、イヤーセット１００及びイヤーセット装着部２００の両方に形成されてもよく、イヤーセット１００がイヤーセット装着部２００に装着されているときに、使用者が指をかけて第１方向（１）と反対方向に力を加えてイヤーセット１００を分離できるようにする。
【００７８】
使用者がリリース溝１５０に指をかけて第１方向（１）と反対方向に力を加えると、図７に示すように、係止フック４２０の固定部４２１に形成された第２傾斜面４２４によって、係止フック４２０は係止突起４１０に接触した状態で第２方向（２）に移動する。この場合、係止フック４２０を移動するためには、スプリング４４０が係止フック４２０に加える付勢力を超える力を係止突起４１０が係止フック４２０に加えなければならない。
【００７９】
そして、図６、５に示すように、係止突起４１０が係止フック４２０の第２傾斜面４２４を経て第１傾斜面４２３に到達すると、イヤーセット１００を拘束する力が除去されるので、イヤーセット１００はイヤーセット装着部２００から分離される。
【００８０】
本実施形態による、着脱可能なイヤーセット１００を備える携帯端末機は、上述したような構成により、使用者がイヤーセット１００に第１方向（１）への力を加えてイヤーセット１００をイヤーセット装着部２００に装着させ、また、装着されているイヤーセット１００に第１方向（１）と反対方向への力を加えてイヤーセット１００をイヤーセット装着部２００から分離させる着脱構造を提供する。このような着脱構造により、使用者は、ボタンを押すなどの別途の動作を行わずに、便利にイヤーセット１００を第２ボディー２００に装着したり、イヤーセット装着部２００から分離したりすることができる。
【００８１】
図８及び図９は、他の実施形態によるロックユニットの構造及び作用を説明するための携帯端末機の断面図である。なお、図８、９において、ロックユニット５００以外の構成については、上述した実施形態と同様である。
【００８２】
本実施形態によるロックユニット５００は、イヤーセット装着部２００に、移動可能に設置される球状ロック部材（以下「ロックボール」という）５１０と、このロックボール５１０と第２ボディー２０との間に配置されてロックボール５１０を図で見て下方に付勢するスプリング５２０とを含む。なお、ここでは、イヤーセット１００がイヤーセット装着部２００に接近する方向を第３方向（３）といい、この第３方向（３）に対する実質的な垂直方向を第４方向（４）という。
【００８３】
第２ボディー２０の内部にはロックボール５１０の移動をガイドするガイド溝５１１が形成され、ロックボール５１０は、ガイド溝５１１の内部を移動可能にガイド溝５１１に挿入される。ガイド溝５１１とロックボール５１０との間には、第４方向（４）と反対方向にロックボール５１０を付勢するようにロックボール５１０を支持するスプリング５２０が装着される。
【００８４】
本実施形態のロック溝１６０は、イヤーセット本体部１１０の上端面にロックボール５１０の大きさ対応する半円状の溝（又は穴）として形成され、ロックボール５１０がロック溝１６０に挿入されることにより、イヤーセット１００がイヤーセット装着部２００に固定される。
【００８５】
以下、本実施形態によるロックユニット５００の作用について説明する。
イヤーセット１００が第３方向（３）に接近すると、イヤーセット本体部１１０の上端面とロックボール５１０が接触する。スプリング５２０がロックボール５１０に加える付勢力以上の力が使用者によりイヤーセット１００に加えられると、ロックボール５１０はイヤーセット１００の上端面と接触した状態で第４方向（４）に移動する。イヤーセット１００が第３方向（３）に移動し続けてロックボール５１０がイヤーセット１００の上端面に接触した状態でロック溝１６０に到達すると、ロックボール５１０は、スプリング５２０の付勢力によって第４方向（４）の反対方向に移動して元の位置に復帰する。
【００８６】
これにより、図９に示すように、イヤーセット１００はイヤーセット装着部２００に装着され、スプリング５２０の付勢力によってロックされた状態となる。
【００８７】
イヤーセット１００をイヤーセット装着部２００から分離する場合には、使用者がイヤーセット１００に第３方向（３）と反対方向の力を加える。すると、イヤーセット１００の上端面は、ロックボール５１０に第４方向（４）への力を加える。スプリング５２０の付勢力以上の力がロックボール５１０に加えられると、ロックボール５１０が第４方向（４）に移動してイヤーセット１００とロックボール５１０との接触が解除され、イヤーセット１００はイヤーセット装着部２００から分離される。
【００８８】
以上、本発明による携帯端末機を、図面を参照して説明してきたが、本発明は本明細書に開示された実施形態及び図面に限定されるものではなく、前記実施形態の多様な変形ができるように、各実施形態の全部又は一部を選択的に組み合わせて構成することもできることは明らかである。よって、このような変形も本発明の範囲に含まれる。
【図面の簡単な説明】
【００８９】
【図１】本発明の一実施形態による携帯端末機の前面斜視図である。
【図２】本発明の一実施形態による携帯端末機の背面斜視図である。
【図３】イヤーセットがイヤーセット装着部に装着された状態を説明する図（図２のＡ−Ａ断面図）である。
【図４】イヤーセットがイヤーセット装着部から分離された状態を説明する図（図２のＡ−Ａ断面図）である。
【図５】本発明の一実施形態によるロックユニットの構造及び作用を説明するための携帯端末機の部分断面図である。
【図６】本発明の一実施形態によるロックユニットの構造及び作用を説明するための携帯端末機の部分断面図である。
【図７】本発明の一実施形態によるロックユニットの構造及び作用を説明するための携帯端末機の部分断面図である。
【図８】本発明の他の実施形態によるロックユニットの構造及び作用を説明するための携帯端末機の部分断面図である。
【図９】本発明の他の実施形態によるロックユニットの構造及び作用を説明するための携帯端末機の部分断面図である。
【符号の説明】
【００９０】
１０…第１ボディー、２０…第２ボディー、１００…イヤーセット、１１０…イヤーセット本体部、１２０…スピーカ部、１２１…スピーカボディー、１２２…保持部材、２００…イヤーセット装着部、２１０…第１装着部、２２０…第２装着部、３１０…カバー、３１１…カバースプリング、４００，５００…ロックユニット
【図１】
0005149729.tif 000002
【図２】
0005149729.tif 000003
【図３】
0005149729.tif 000004
【図４】
0005149729.tif 000005
【図５】
0005149729.tif 000006
【図６】
0005149729.tif 000007
【図７】
0005149729.tif 000008
【図８】
0005149729.tif 000009
【図９】
0005149729.tif 000010